(57)【要約】【課題】ダミー管として機能すると共に、停電時には発光源となる。【解決手段】ダミー発光管１は、ダミー管１０に蓄光材フィルム２０を巻き付けたものである。ダミー管１０は、外形寸法及び外形形状が通常の蛍光管と同じであり、ラビットスタート方式の蛍光灯照明装置に取り付けられるものである。このダミー管１０に、蓄光材を有する蓄光材フィルム２０を巻き付けているため、蓄光材が光エネルギーを蓄積し、停電時には発光して照明光を確保する。【選択図】図１
2008288178.tif 000002
【特許請求の範囲】
【請求項１】
円筒部材と、この円筒部材の両端面をそれぞれ閉塞するとともに一対の接続ピンがそれぞれ備えられている口金部と、前記円筒部材の内部空間を通して一方の口金部の接続ピンと他方の口金部の接続ピンとを電気的に接続する接続回路とを有し、外形寸法が蛍光管と同じ外形寸法となっているダミー管と、
透明フィルムに蓄光材を成膜してなり、前記ダミー管の前記円筒部材の外周面に備えられる蓄光材フィルムと、を有することを特徴とするダミー発光管。
【請求項２】
請求項１において、前記接続回路にはヒューズが介装されていることを特徴とするダミー発光管。
【発明の詳細な説明】
【技術分野】
【０００１】  本発明はラビットスタート方式の蛍光灯照明器具に装着されて、節電（省エネルギー）を図ると共に、停電時においても発光することができるダミー発光管に関するものである。
【背景技術】
【０００２】  蛍光灯照明器具は、蛍光管が取り付けられ、この蛍光管を連続的に放電させることにより発光させている。
このような蛍光灯照明器具の点灯（スタート）方式としては、
（１）スタータ（点灯管）方式
（２）ラビットスタート方式
（３）インバータスタート方式
等がある。【０００３】  １台の蛍光灯照明器具に、複数本の蛍光管を備えるタイプのものでは、点灯方式に応じて次のような特性がある。
（１）スタータ方式では、１灯につき１つのグロー管が必要であり、１灯の蛍光管を１つのグロー管で、それぞれ点灯をする。
（２）ラビットスタート方式では、グロー管は使用せず、電極予熱回路と昇圧回路が付加された安定器を用いて点灯をするため、即時点灯が可能となる。
ただし、例えば、２本の蛍光管を装着するタイプの蛍光灯照明器具である場合には、２本の蛍光管を装着していることにより点灯およびその後の連続照明が可能であるが、１本のみを装着した場合には、点灯ができなくなる。
（３）インバータ方式では、即時点灯ができるとともにランプの「ちらつき」を低減することができる。【０００４】  ビルや百貨店、駅や会社などの公共設備では、複数の蛍光管を装着するタイプのラビットスタート方式の蛍光灯照明器具が多用されている。【０００５】  近年では、節電（省エネ）を図ると共に、照度アップを図るという、相反する要望を実現することが要請されている。【０００６】  そこで、照度アップを図るために、蛍光灯照明器具に、高い拡散反射率を有する板状の光反射板を取り付けることが考えられている。光反射板は、蛍光灯照明器具に装着された蛍光管の背面に配置され、蛍光管の光を床面側に反射して照度を向上させる（例えば特許文献１参照）。【０００７】  また本願発明者は、いわゆる「ダミー管」と称する商品（部品）を開発した。このダミー管は、外形寸法が蛍光管と同一の外形寸法となっていると共に、蛍光灯照明器具のソケット相互を通電するものであり、放電により光を発する蛍光管の代わりに取り付けるものである。
つまり、例えば２本の蛍光管を装着するタイプの蛍光灯照明器具に対して、１本は蛍光管を装着し、もう１本はダミー管を装着する。かかるダミー管を使用すれば、１本分の照明電力の節約ができる。【０００８】  ダミー管の詳細については後述するが、その概略を簡単に説明すると次の通りである。
ダミー管では、細長い塩化ビニール製の円筒部材の両端を、口金部で塞いでいる。各口金部には、それぞれ、一対の接続ピンが備えられている。そして、円筒部材の内部空間において、一方の口金部の接続ピンと他方の口金部の接続ピンとを電気的に接続する接続回路を有している。【０００９】  本願発明者は、上述したような光反射板とダミー管を開発し、このダミー管と光反射板を、ラビットスタート方式の蛍光灯照明器具に取り付けることにより、省エネ（節電）と照度アップを実現している。
即ち、ラビットスタート方式の蛍光灯照明器具に、１本は蛍光管を取り付け、残りの１本としてダミー管を取り付けることにより蛍光管の間引きをしつつ発光を確保すると共に、光反射板を取り付けることにより照度アップを図っている。【００１０】
【特許文献１】  実用新案登録第３０４３８６０号
【特許文献２】  特許第３８５６７９３号
【特許文献３】  実用新案登録第３０９８６９３号
【発明の開示】
【発明が解決しようとする課題】
【００１１】  ところで、停電が発生したときには、照明をすることができなくなる。
しかし、例えば震災時や、一次，二次電源が確保できない非常時には、安全確保と非難通路照明のために、最低限の照明を一定時間確保したいという要望がある。【００１２】  本発明は、上記従来技術に鑑み、停電のない通常（正常）使用時にはソケット間の通電を確保するが自己発光はしないで蓄光をし、停電発生時には蓄光した光を一定時間にわたり発光することができるダミー発光管を提供することを目的とする。
【課題を解決するための手段】
【００１３】  上記課題を解決する本発明の構成は、
円筒部材と、この円筒部材の両端面をそれぞれ閉塞するとともに一対の接続ピンがそれぞれ備えられている口金部と、前記円筒部材の内部空間において一方の口金部の接続ピンと他方の口金部の接続ピンとを電気的に接続する接続回路とを有し、外形寸法が蛍光管と同じ外形寸法となっているダミー管と、
透明フィルムに蓄光材を印刷してなり、前記ダミー管の前記円筒部材の外周面に備えられる蓄光材フィルムと、を有することを特徴とする。【００１４】  また本発明は、前記接続回路にはヒューズが介装されていることを特徴とする。
【発明の効果】
【００１５】  ラビットスタート方式の蛍光灯照明器具に、１本は蛍光管を取り付け、残りの１本を本発明に係るダミー発光管を取り付けることにより、蛍光管の発光を確保することができる。
そして、蛍光管の発光により、ダミー発光管の蓄光材が光エネルギーを蓄積し、停電時には蓄光材から光を発生するため、非常用の照明を確保することができる。
【発明を実施するための最良の形態】
【００１６】  以下に本発明を実施するための最良の形態を実施例に基づき詳細に説明する。
【実施例】
【００１７】  図１（ａ）は、本発明の実施例に係るダミー発光管１を示す正面図、図１（ｂ）はその側面を拡大して示す側面図である。
図２（ａ）は、ダミー発光管１の構成部材であるダミー管１０を示す正面図、図２（ｂ）は、ダミー発光管１の構成部材である蓄光材フィルム２０を示す平面図である。
図３は、ダミー管を示す模式図である。【００１８】  これらの図に示すように、本発明のダミー発光管１は、ダミー管１０の周囲に蓄光材フィルム２０を備えたものである。【００１９】  ダミー管１０は、細長い塩化ビニール製の円筒部材１１の両端を、口金部１２，１３にて塞いでいる。口金部１２には、一対の接続ピン１２ａ，１２ｂが備えられ、口金部１３には、一対の接続ピン１３ａ，１３ｂが備えられている。そして、一方の接続ピン１２ａと他方の接続ピン１３ａとは、接続回路１４により電気的に接続されている。
接続回路１４は、コンデンサＣ１，Ｃ２と、ダイオードＤ１，Ｄ２と、ヒューズＦ１，Ｆ２を含む回路である。
このダミー管１０の外形寸法は、蛍光管と同じ外形寸法となっている。【００２０】  蓄光材フィルム２０は、透明フィルム２１上に、蓄光材２２を印刷技術等により成膜したものである。具体的には、微粉末の蓄光材を混入した蓄光インクを、透明フィルム２１上に複数回重ね塗りして、蓄光材２２を成膜している。【００２１】  そして、蓄光材フィルム２０を、ダミー管１０に巻き付けることにより、ダミー発光管１が構成される。
なお、蓄光材フィルム２０を、筒状に形成しておき、この筒状の蓄光材フィルム２０に、ダミー管１０を挿入するようにして、ダミー発光管１を構成するようにしてもよい。【００２２】  図４は、上述した構成となっているダミー発光管１の使用状況を示す。
図４に示すように、ラビットスタート方式の蛍光灯照明器具３０には、光反射板３１と、蛍光管３２と、本願発明に係るダミー発光管１が取り付けられる。【００２３】  通常使用時には、蛍光管３２が発光する。このとき、蛍光管３２の背面に配置された、高い拡散反射率を有する光反射板３１により、蛍光管３２から光反射板３１に向かって進行してきた光を反射することにより、照度アップを図っている。また、１本のみの蛍光管３２を使用しているだけであるため、省エネルギーを図ることができる。
このとき、ダミー発光管１の蓄光材２２は光エネルギーを蓄積する。【００２４】  停電した場合には、蛍光管３２の発光が停止するが、ダミー管１の蓄光材２２から光が放射される。このため、震災時や災害時であっても、必要最低限の光を確保することができ安全性が向上する。【００２５】  なお、蓄光材２２により、矢印などのマークや、文字等を描いておくこともできる。このようすれば、非常時において、避難経路を矢視したり、避難口を表示することができる。
【図面の簡単な説明】
【００２６】
【図１】  本発明の実施例に係るダミー発光管を示し、（ａ）は正面図、（ｂ）は拡大側面図を示す。
【図２】  本発明の実施例に係るダミー発光管を分解して示し、（ａ）はダミー管を示す正面図、（ｂ）は蓄光材フィルムを示す平面図である。
【図３】  ダミー管の内部回路を示す回路図。
【図４】  ダミー発光管と蛍光管を取り付けた蛍光灯照明器具を示す斜視図である。
【符号の説明】
【００２７】１  ダミー発光管
１０  ダミー管
１１  円筒部材
１２，１３  口金部
１２ａ，１２ｂ，１３ａ，１３ｂ  接続ピン
１４  接続回路
２０  蓄光材フィルム
２１  透明フィルム
２２  蓄光材
【図１】
2008288178.tif 000003
【図２】
2008288178.tif 000004
【図３】
2008288178.tif 000005
【図４】
2008288178.tif 000006